【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
デバイス間の送信を協調させるための方法であって、
第1のセットのデバイスを第1のグループに関連付け、第2のセットのデバイスを第2のグループに関連付けるステップであって、前記第1のグループがピアツーピア接続を有し第1のアクセスポイントと関連付けられるデバイスを表し、前記第2のグループがピアツーピア接続を有し第2のアクセスポイントと関連付けられるデバイスを表す、ステップと、
第1のセットのデバイスにおける第1のデバイスから、第1のセットのデバイスにおける第2のデバイスとの送信のための第1の時間を要求するピア送信要求メッセージを受信するステップと、
前記第1のデバイスと前記第2のデバイスとの間の送信のための前記第1の時間と、前記第1のアクセスポイントとの通信のための前記第1の時間とは異なる第2の時間とを予約するステップと、
協調メッセージを前記第1のセットのデバイスおよび前記第2のセットのデバイスに送信するステップであって、前記協調メッセージが、前記第1の時間が前記第1のセットのデバイスの間の送信と前記第2のセットのデバイスの間の送信のために予約されたことを示す、ステップと、
前記第2の時間の間に、第1のデータパケットを第1のセットのデバイスにおける第3のデバイスに送信するステップであって、前記第1のデバイスが、前記第1の時間の間に、第2のデータパケットを前記第2のデバイスに送信する、ステップと
を含む方法。
【請求項２】
前記第1のデバイスが前記第1のアクセスポイントを備え、前記第2のデバイスが第1の局を備え、前記第3のデバイスが第2の局を備える、請求項1に記載の方法。
【請求項３】
前記第1のデバイスが第1の局を備え、前記第2のデバイスが第2の局を備え、前記第3のデバイスが第3の局を備える、請求項1に記載の方法。
【請求項４】
第1の時間を予約するステップが、前記第1の時間を前記第1のグループ内のデバイスの間の通信に割り当て、前記第2の時間を前記第1のアクセスポイントと前記第1のグループ内にないデバイスとの間の通信に割り当てるステップを含む、請求項1に記載の方法。
【請求項５】
協調メッセージを送信するステップが、ピア送信可メッセージを前記第1のセットのデバイスおよび前記第2のセットのデバイスに送信するステップであって、前記ピア送信可メッセージが前記第1の時間を含む、ステップを含む、請求項1に記載の方法。
【請求項６】
前記第1のデバイスが、前記第1の時間の間に、媒体が設定された時間期間の間アイドルであるかどうかを判断し、前記第1の時間の間に、前記媒体が前記設定された時間期間の間アイドルである場合、前記第2のデータパケットを送信する、請求項1に記載の方法。
【請求項７】
デバイス間の送信を協調させるための装置であって、
第1のセットのデバイスを第1のグループに関連付け、第2のセットのデバイスを第2のグループに関連付けるための手段であって、前記第1のグループがピアツーピア接続を有し第1のアクセスポイントと関連付けられるデバイスを表し、前記第2のグループがピアツーピア接続を有し第2のアクセスポイントと関連付けられるデバイスを表す、手段と、
第1のセットのデバイスにおける第1のデバイスから、第1のセットのデバイスにおける第2のデバイスとの送信のための第1の時間を要求するピア送信要求メッセージを受信するための手段と、
前記第1のデバイスと前記第2のデバイスとの間の送信のための前記第1の時間と、前記第1のアクセスポイントとの通信のための前記第1の時間とは異なる第2の時間とを予約するための手段と、
協調メッセージを前記第1のセットのデバイスおよび前記第2のセットのデバイスに送信するための手段であって、前記協調メッセージが、前記第1の時間が前記第1のデバイスの間の送信と前記第2のセットのデバイスの間の送信のために予約されたことを示す、手段と、
前記第2の時間の間に、第1のデータパケットを第1のセットのデバイスにおける第3のデバイスに送信するための手段であって、前記第1のデバイスが、前記第1の時間の間に、第2のデータパケットを前記第2のデバイスに送信する、手段と
を備える装置。
【請求項８】
前記第1のデバイスが前記第1のアクセスポイントを備え、前記第2のデバイスが第1の局を備え、前記第3のデバイスが第2の局を備える、請求項7に記載の装置。
【請求項９】
前記第1のデバイスが第1の局を備え、前記第2のデバイスが第2の局を備え、前記第3のデバイスが第3の局を備える、請求項7に記載の装置。
【請求項１０】
第1の時間を予約するための手段が、前記第1の時間を前記第1のグループ内のデバイスの間の通信に割り当て、前記第2の時間を前記第1のアクセスポイントと前記第1のグループ内にないデバイスとの間の通信に割り当てるための手段を備える、請求項7に記載の装置。
【請求項１１】
協調メッセージを送信するための手段が、ピア送信可メッセージを前記第1のセットのデバイスおよび前記第2のセットのデバイスに送信するための手段であって、前記ピア送信可メッセージが前記第1の時間を含む、手段を備える、請求項7に記載の装置。
【請求項１２】
前記第1のデバイスが、前記第1の時間の間に、媒体が設定された時間期間の間アイドルであるかどうかを判断し、前記第1の時間の間に、前記媒体が前記設定された時間期間の間アイドルである場合、前記第2のデータパケットを送信する、請求項7に記載の装置。
【請求項１３】
前記受信するための手段が受信機を備え、前記予約するための手段が送信制御ユニットを備え、前記協調メッセージを前記送信するための手段および前記第1のデータパケットを前記送信するための手段が送信機を備える、請求項7に記載の装置。
【請求項１４】
実行されると、装置に、
第1のセットのデバイスを第1のグループに関連付け、第2のセットのデバイスを第2のグループに関連付けることであって、前記第1のグループがピアツーピア接続を有し第1のアクセスポイントと関連付けられるデバイスを表し、前記第2のグループがピアツーピア接続を有し第2のアクセスポイントと関連付けられるデバイスを表す、関連付けることと、
第1のセットのデバイスにおける第1のデバイスから、第1のセットのデバイスにおける第2のデバイスとの送信のための第1の時間を要求するピア送信要求メッセージを受信することと、
前記第1のデバイスと前記第2のデバイスとの間の送信のための前記第1の時間と、前記第1のアクセスポイントとの通信のための前記第1の時間とは異なる第2の時間とを予約することと、
協調メッセージを前記第1のセットのデバイスおよび前記第2のセットのデバイスに送信することであって、前記協調メッセージが、前記第1の時間が前記第1のセットのデバイスの間の送信と前記第2のセットのデバイスの間の送信のために予約されたことを示す、送信することと、
前記第2の時間の間に、第1のデータパケットを第1のセットのデバイスにおける第3のデバイスに送信することであって、前記第1のデバイスが、前記第1の時間の間に、第2のデータパケットを前記第2のデバイスに送信する、送信することと
を行わせるコードを備える非一時的コンピュータ可読記憶媒体。
【請求項１５】
前記第1のデバイスが前記第1のアクセスポイントを備え、前記第2のデバイスが第1の局を備え、前記第3のデバイスが第2の局を備える、請求項14に記載の媒体。
【請求項１６】
前記第1のデバイスが第1の局を備え、前記第2のデバイスが第2の局を備え、前記第3のデバイスが第3の局を備える、請求項14に記載の媒体。
【請求項１７】
実行されると、装置に、前記第1の時間を前記第1のグループ内のデバイスの間の通信にに割り当てさせ、前記第2の時間を前記第1のアクセスポイントと前記第1のグループ内にないデバイスとの間の通信に割り当てさせるコードをさらに備える、請求項14に記載の媒体。
【請求項１８】
実行されると、装置に、ピア送信可メッセージを前記第1のセットのデバイスおよび前記第2のセットのデバイスに送信させ、前記ピア送信可メッセージが前記第1の時間を含む、コードをさらに備える、請求項14に記載の媒体。
【請求項１９】
前記第1のデバイスが、前記第1の時間の間に、媒体が設定された時間期間の間アイドルであるかどうかを判断し、前記第1の時間の間に、前記媒体が前記設定された時間期間の間アイドルである場合、前記第2のデータパケットを送信する、請求項14に記載の媒体。
【請求項２０】
デバイス間の送信を協調させるための装置であって、
第1のセットのデバイスを第1のグループに関連付け、第2のセットのデバイスを第2のグループに関連付けるように構成された分類器ユニットであって、前記第1のグループがピアツーピア接続を有し第1のアクセスポイントと関連付けられるデバイスを表し、前記第2のグループがピアツーピア接続を有し第2のアクセスポイントと関連付けられるデバイスを表す、分類器ユニットと、
第1のセットのデバイスにおける第1のデバイスから、第1のセットのデバイスにおける第2のデバイスとの送信のための第1の時間を要求するピア送信要求メッセージを受信するように構成された受信機と、
前記第1のデバイスと前記第2のデバイスとの間の送信のための前記第1の時間と、前記第1のアクセスポイントとの通信のための前記第1の時間とは異なる第2の時間と予約するように構成された送信制御ユニットと、
協調メッセージを前記第1のセットのデバイスおよび前記第2のセットのデバイスに送信するように構成された送信機であって、前記協調メッセージが、前記第1の時間が前記第1のセットのデバイスの間の送信と前記第2のセットのデバイスの間の送信のために予約されたことを示し、前記送信機が、前記第2の時間の間に、第1のデータパケットを第1のセットのデバイスにおける第3のデバイスに送信するようにさらに構成され、前記第1のデバイスが、前記第1の時間の間に、第2のデータパケットを前記第2のデバイスに送信する、送信機と
を備える装置。
【請求項２１】
前記第1のデバイスが前記第1のアクセスポイントを備え、前記第2のデバイスが第1の局を備え、
前記第3のデバイスが第2の局を備える、請求項20に記載の装置。
【請求項２２】
前記第1のデバイスが第1の局を備え、前記第2のデバイスが第2の局を備え、前記第3のデバイスが第3の局を備える、請求項20に記載の装置。
【請求項２３】
前記送信制御ユニットが、前記第1の時間を前記第1のグループ内のデバイスの間の通信に割り当て、前記第2の時間を前記第1のアクセスポイントと前記第1のグループ内にないデバイスとの間の通信に割り当てるようにさらに構成される、請求項20に記載の装置。
【請求項２４】
前記協調メッセージがピア送信可メッセージを含み、前記ピア送信可メッセージが前記第1の時間を含む、請求項20に記載の装置。
【請求項２５】
前記第1のデバイスが、前記第1の時間の間に、媒体が設定された時間期間の間アイドルであるかどうかを判断し、前記第1の時間の間に、前記媒体が前記設定された時間期間の間アイドルである場合、前記第2のデータパケットを送信する、請求項20に記載の装置。